(57)【要約】      （修正有）【課題】機種ごとにスピーカの形状や大きさが異なっていても、ネット取付部材を兼用できると共に、ネット取付部材をスピーカネットから簡単に取り外してそのまま再利用できるスピーカネットの取付構造を提供する。【解決手段】スピーカネット１２の周辺部に設けられた複数のフック部と、この複数のフック部がスピーカネット１２の周辺部に沿ってスライド可能に装着する装着溝を有する取付駒部１７、およびこの取付駒部１７を上部ケース３に対して位置規制する位置規制部１８が一体的に設けられた複数のネット取付部材１４と、上部ケース３に設けられて各ネット取付部材１４を上部ケース３に対してそれぞれ位置決めする複数の位置決め部１５と、この位置決め部１５にネット取付部材１４を固定するねじ部材１６とを有する。【選択図】図６
2010245679.tif 000002
【特許請求の範囲】
【請求項１】
ケース本体に、その内部のスピーカを覆って保護する金属製のスピーカネットを取り付けるためのスピーカネットの取付構造において、
前記スピーカネットの周辺部に設けられ、前記ケース本体側に対する抜止め部を有する複数のフック部と、
この複数のフック部が前記スピーカネットの前記周辺部に沿ってスライド可能に装着する装着溝を有する取付部、およびこの取付部を前記ケース本体に対して位置規制する位置規制部が一体的に設けられた複数のネット取付部材と、
前記ケース本体に設けられて前記複数のネット取付部材を前記ケース本体に対してそれぞれ位置決めするための複数の位置決め部と、
この複数の位置決め部に前記複数のネット取付部材をそれぞれ着脱可能に固定する固定手段と
を備えていることを特徴とするスピーカネットの取付構造。
【請求項２】
前記位置決め部は、前記ネット取付部材の前記位置規制部を前記ケース本体に対して位置決めする第１位置決め凹部と、前記ネット取付部材の前記取付部を前記ケース本体に対して位置規制して前記スピーカネットを前記ケース本体に対して位置決めするための第２位置決め凹部とを備えていることを特徴とする請求項１に記載のスピーカネットの取付構造。
【請求項３】
前記複数のフック部はそのいずれかが前記スピーカネットの前記周辺部における複数箇所に交差する状態で設けられており、前記複数のネット取付部材はそのいずれかが交差する状態で前記複数のフック部にそれぞれ取り付けられていることを特徴とする請求項１または請求項２に記載のスピーカネットの取付構造。
【請求項４】
前記固定手段は、前記位置規制部に設けられた取付穴に螺入して前記位置規制部を前記ケース本体の前記位置決め部に着脱可能に固定するねじ部材であることを特徴とする請求項１〜請求項３のいずれかに記載のスピーカネットの取付構造。
【請求項５】
前記ネット取付部材には、前記ねじ部材が螺入する前記取付穴が前記位置規制部から前記取付部内の前記装着溝に亘って連続して設けられており、前記複数のフック部の少なくともいずれかには、前記ねじ部材の先端部が挿入して位置規制される切欠部が前記取付穴に対応して設けられていることを特徴とする請求項４に記載のスピーカネットの取付構造。
【発明の詳細な説明】
【技術分野】
【０００１】
この発明は、電子ピアノなどの電子楽器に用いられるスピーカネットの取付構造に関する。
【背景技術】
【０００２】
近年、スピーカを覆って保護するスピーカネットの取付構造においては、資源の再利用化を図るために、金属製のスピーカネットを合成樹脂製のケース本体から容易に取り外して分解できるように構成することが要望されている。
【０００３】
このような要望に応えるために、従来のスピーカネットの取付構造としては、特許文献１に記載されているように、ケース本体に合成樹脂製のネット取付部材をビス止めにより取り付け、このネット取付部材に金属製のスピーカネットを取り付けるように構成したものが知られている。
【先行技術文献】
【特許文献】
【０００４】
【特許文献１】特開平０７−１０８８７７号公報
【０００５】
この種のスピーカネットの取付構造では、ネット取付部材がスピーカの正面側における周囲を囲む枠状に形成され、このネット取付部材の内面に仮止めボス部とビス取付ボス部とを設け、仮止めボス部をケース本体の仮止め孔に挿入させて仮止めし、この状態でビス取付ボス部をビスによってケース本体に取り付けるように構成されている。
【０００６】
また、スピーカネットは、金属板をパンチング加工して網目状に形成すると共に、ドーム状に膨らませた形状に形成され、その周辺部に複数の係止突起を設け、この複数の係止突起をネット取付部材の周縁部に設けられた複数の係止孔に刺し込むことにより、ネット取付部材に取り付けられるように構成されている。
【発明の概要】
【発明が解決しようとする課題】
【０００７】
しかしながら、このような従来のスピーカネットの取付構造では、ネット取付部材がスピーカの正面側における周囲を囲う枠状に形成されているので、機種ごとにスピーカの形状や大きさが異なっていると、その都度、ネット取付部材を製作し直す必要があり、機種に係わらずネット取付部材を兼用することができないため、製造コストが高くなるばかりか、スピーカネットとネット取付部材とを分解しても、ネット取付部材を異なる機種にそのまま再利用することができないという問題がある。
【０００８】
この発明が解決しようとする課題は、機種ごとにスピーカの形状や大きさが異なっていても、ネット取付部材を兼用することができると共に、ネット取付部材をスピーカネットから簡単に取り外してそのまま再利用することができるスピーカネットの取付構造を提供することである。
【課題を解決するための手段】
【０００９】
この発明は、上記課題を解決するために、次のような構成要素を備えている。
請求項１に記載の発明は、ケース本体に、その内部のスピーカを覆って保護する金属製のスピーカネットを取り付けるためのスピーカネットの取付構造において、前記スピーカネットの周辺部に設けられ、前記ケース本体側に対する抜止め部を有する複数のフック部と、この複数のフック部が前記スピーカネットの前記周辺部に沿ってスライド可能に装着する装着溝を有する取付部、およびこの取付部を前記ケース本体に対して位置規制する位置規制部が一体的に設けられた複数のネット取付部材と、前記ケース本体に設けられて前記複数のネット取付部材を前記ケース本体に対してそれぞれ位置決めするための複数の位置決め部と、この複数の位置決め部に前記複数のネット取付部材をそれぞれ着脱可能に固定する固定手段とを備えていることを特徴とするスピーカネットの取付構造である。
【００１０】
請求項２に記載の発明は、前記位置決め部が、前記ネット取付部材の前記位置規制部を前記ケース本体に対して位置決めする第１位置決め凹部と、前記ネット取付部材の前記取付部を前記ケース本体に対して位置規制して前記スピーカネットを前記ケース本体に対して位置決めするための第２位置決め凹部とを備えていることを特徴とする請求項１に記載のスピーカネットの取付構造である。
【００１１】
請求項３に記載の発明は、前記複数のフック部がそのいずれかを前記スピーカネットの前記周辺部における複数箇所に交差する状態で設けた構成であり、前記複数のネット取付部材はそのいずれかが交差する状態で前記複数のフック部にそれぞれ取り付けられていることを特徴とする請求項１または請求項２に記載のスピーカネットの取付構造である。
【００１２】
請求項４に記載の発明は、前記固定手段は、前記位置規制部に設けられた取付穴に螺入して前記位置規制部を前記ケース本体の前記位置決め部に着脱可能に固定するねじ部材であることを特徴とする請求項１〜請求項３のいずれかに記載のスピーカネットの取付構造である。
【００１３】
請求項５に記載の発明は、前記ネット取付部材に、前記ねじ部材が螺入する前記取付穴が前記位置規制部から前記取付部内の前記装着溝に亘って連続して設けられており、前記複数のフック部の少なくともいずれかには、前記ねじ部材の先端部が挿入して位置規制される切欠部が前記取付穴に対応して設けられていることを特徴とする請求項４に記載のスピーカネットの取付構造である。
【発明の効果】
【００１４】
この発明によれば、スピーカを覆って保護するスピーカネットの周辺部に設けられた複数のフック部に、ネット取付部材をそれぞれスライドさせて取り付けることができ、このネット取付部材をケース本体の位置決め部によってそれぞれ位置規制し、この状態でネット取付部材を位置決め部に固定手段で着脱可能に固定することができるので、スピーカネットを容易にケース本体に取り付けることができる。
【００１５】
また、ケース本体の位置決め部に対してネット取付部材を固定する固定手段による固定を解除することにより、ネット取付部材を位置決め部から容易に取り外すことができるので、このネット取付部材と共にスピーカネットをケース本体から簡単に取り外すことができ、この状態でネット取付部材をスピーカネットの周辺部に沿ってスライドさせることにより、ネット取付部材をスピーカネットのフック部から容易に取り外すことができる。
【００１６】
このため、機種ごとにスピーカの形状や大きさが異なっていても、機種に係わらずにネット取付部材を兼用することができると共に、ネット取付部材をスピーカネットからスライドさせて簡単に取り外すことができ、この取り外したネット取付部材をそのまま再利用することができるので、資源を有効に利用することができると共に、環境対策上、好ましいものを提供することができる。
【図面の簡単な説明】
【００１７】
【図１】この発明を適用した電子鍵盤楽器の実施形態１を示した斜視図である。
【図２】図１の電子鍵盤楽器のＡ−Ａ矢視における拡大断面図である。
【図３】図１の電子鍵盤楽器における上部ケースを一部分解して示した斜視図である。
【図４】図３の上部ケースのＢ−Ｂ矢視における拡大断面図である。
【図５】図３の上部ケースにおけるスピーカ部付近を示した要部の拡大平面図である。
【図６】図５のＣ−Ｃ矢視における拡大断面図である。
【図７】図３におけるスピーカネットの各フック部にネット取付部材を取り付けた状態を示した斜視図である。
【図８】図７においてスピーカネットの各フック部にネット取付部材を取り付ける状態を示した分解斜視図である。
【図９】図８のフック部を拡大して示した斜視図である。
【図１０】図８のネット取付部材を示した拡大斜視図である。
【図１１】図６のＤ−Ｄ矢視における要部の拡大断面図である。
【図１２】この発明を適用した電子鍵盤楽器の実施形態２においてスピーカ部付近を示した要部の拡大断面図である。
【図１３】図１２におけるスピーカネットの各フック部にネット取付部材を取り付ける状態を示した分解斜視図である。
【図１４】図１３のフック部を拡大して示した斜視図である。
【図１５】図１３のネット取付部材を示した拡大斜視図である。
【図１６】図１２のＥ−Ｅ矢視における要部の拡大断面図である。
【発明を実施するための形態】
【００１８】
（実施形態１）
以下、図１〜図１１を参照して、この発明を電子鍵盤楽器に適用した実施形態１について説明する。
この電子鍵盤楽器は、図１および図２に示すように、ケース本体である楽器ケース１を備えている。この楽器ケース１は、下部ケース２と上部ケース３とで構成されている。
【００１９】
下部ケース２は、上部側が開放された横長の箱形状に形成されており、その内部における手前側には、図２に示すように、鍵盤シャーシ部４が一体に形成されている。この鍵盤シャーシ部４上には、図１および図２に示すように、鍵盤部５が設けられている。この鍵盤部５は、白鍵および黒鍵からなる複数の鍵６が鍵盤シャーシ部４上に配列された状態で、それぞれ上下方向に回動可能に取り付けられた構成になっている。
【００２０】
上部ケース３は、図１〜図４に示すように、下部側が開放された横長の箱形状に形成されており、その手前側には、図１および図３に示すように、鍵盤部５を上方に露出させるための開口部７が設けられている。また、この上部ケース３の後側部における中間部には、表示部８およびスイッチ部９が設けられており、この上部ケース３の両側部には、スピーカ部１０がそれぞれ設けられている。
【００２１】
表示部８は、液晶表示パネルやＥＬ表示パネルなどの平面型の表示パネルからなり、演奏に必要な各種の楽音情報を表示するように構成されている。スイッチ部９は、音量、音色などの演奏に必要な楽音情報を入力する各種のスイッチを備え、これらのスイッチが表示部８を囲うように設けられている。スピーカ部１０は、図２〜図４に示すように、上部ケース３内の下面に取り付けられる複数のスピーカ１１と、この複数のスピーカ１１の上面全体を覆って保護するスピーカネット１２とを備えている。
【００２２】
このスピーカネット１２の取付構造は、図５〜図１１に示すように、スピーカネット１２の周辺部に設けられた複数のフック部１３と、この複数のフック部１３をそれぞれ上部ケース３に取り付けるための複数のネット取付部材１４と、この複数のネット取付部材１４を上部ケース３に位置決めするための複数の位置決め部１５と、この複数の位置決め部１５に各ネット取付部材１４をそれぞれ着脱可能に固定する複数のねじ部材１６とを備えている。
【００２３】
この場合、スピーカネット１２は、金属板をパッチング加工して網目状に形成したパンチングネットであり、図７および図８に示すように、下部側が開放されたほぼ長方形の箱状に形成されている。このスピーカネット１２の周辺部、つまり図８における上辺部１２ａ、下辺部１２ｂ、両側の側辺部１２ｃにおける各下端部には、それぞれフック部１３が２つずつ下側に突出して設けられている。
【００２４】
この複数のフック部１３には、図８および図９に示すように、上部ケース３側に対する抜止め部１９がそれぞれ設けられている。この抜止め部１９は、図８および図９に示すように、上下方向に沿ってコ字状に折り曲げられた折曲部であり、フック部１３の上下方向に対する位置を規制するように構成されている。また、この複数のフック部１３のうち、上辺部１２ａと下辺部１２ｂの各フック部１３は、両側の側辺部１２ｃの各フック部１３に対して直交した状態で設けられている。
【００２５】
この複数のフック部１３にそれぞれ取り付けられる複数のネット取付部材１４は、図１０および図１１に示すように、各フック部１３にそれぞれ着脱可能に取り付けられる取付駒部１７と、この取付駒部１７を上部ケース３に対してそれぞれ位置規制する位置規制部１８とを備え、これらが合成樹脂によって一体に形成された構成になっている。
【００２６】
この場合、取付駒部１７は、図１０に示すように、長方形の立方体に形成されている。この取付駒部１７の内部には、図１０および図１１に示すように、フック部１３がスピーカネット１２の周辺部、つまりスピーカネット１２の上辺部１２ａ、下辺部１２ｂ、両側の側辺部１２ｃの各辺部に沿ってスライド可能に挿入して装着する装着溝１７ａが形成されている。
【００２７】
この装着溝１７ａは、図１０および図１１に示すように、フック部１３と同じ形状をなし、取付駒部１７の両側に位置する一方の端面から他方の端面に連続すると共に、取付駒部１７の上面に開放された状態で、スリット状に形成され、取付駒部１７の一端面からフック部１３がスピーカネット１２の周辺部に沿って相対的にスライド可能に挿入するように構成されている。
【００２８】
これにより、取付駒部１７は、その装着溝１７ａ内にフック部１３が相対的にスライド可能に装着することにより、フック部１３に着脱可能に取り付けられるように構成されている。また、位置規制部１８は、図１０に示すように、円柱状に形成されたボス部であり、取付駒部１７の下面における中央部に垂下された状態で一体に形成されている。この位置規制部１８内には、図６および図１１に示すように、ねじ部材１６が下側から螺入するねじ穴１８ａが形成されている。
【００２９】
一方、上部ケース３には、図５および図６に示すように、ネット取付部材１４を上部ケース３に対して位置決めするための複数の位置決め部１５が設けられている。この位置決め部１５は、図６および図１１に示すように、ネット取付部材１４の位置規制部１８が挿入することにより、ネット取付部材１４を上部ケース３に対して位置規制する第１位置決め凹部２０と、ネット取付部材１４の取付駒部１７が挿入することにより、スピーカネット１２を上部ケース３に対して位置規制する第２位置決め凹部２１とを備えている。
【００３０】
この場合、第１位置決め凹部２０は、第２位置決め凹部２１の底部における中央部に形成された円柱状の凹部であり、ネット取付部材１４の位置規制部１８が第２位置決め凹部２１を通して上方から挿入するように構成されている。これにより、第１位置決め凹部２０は、ネット取付部材１４を上部ケース３の面方向に対する位置を規制して上部ケース３に対するネット取付部材１４の取付位置を決定するように構成されている。
【００３１】
また、第２位置決め凹部２１は、図６および図１１に示すように、ネット取付部材１４の取付駒部１７と同じ形状で同じ大きさの長方形の立方体状に形成された凹部であり、その内部に取付駒部１７が上方から挿入するように形成されている。これにより、第２位置決め凹部２１は、ネット取付部材１４の取付駒部１７に設けられた装着溝１７ａ内にスライド可能に装着されたフック部１３のスライド方向の位置を規制するように構成されている。
【００３２】
この場合、複数の位置決め部１５のうち、図５に示すように、対角線上に位置する２つの位置決め部１５ａ、１５ｂは、これに対応する２つのネット取付部材１４の取付位置を正確に位置決めするように構成されている。すなわち、この対角線上に位置する２つの位置決め部１５ａ、１５ｂの各第１位置決め凹部２０は、２つのネット取付部材１４の各位置規制部１８が密着して嵌合する大きさに形成されている。
【００３３】
また、この対角線上に位置する２つの位置決め部１５ａ、１５ｂの各第２位置決め凹部２１は、２つのネット取付部材１４の各取付駒部１７が密着して嵌合する大きさに形成されている。これにより、対角線上に位置する２つの位置決め部１５ａ、１５ｂは、これに嵌合する２つのネット取付部材１４を上部ケース３に対して正確に位置決めすると共に、スピーカネット１２を上部ケース３に対して確実に位置決めするように構成されている。
【００３４】
この場合、対角線上に位置する２つの位置決め部１５ａ、１５ｂ以外の全ての位置決め部１５は、ネット取付部材１４の取付位置が遊びをもって位置決めされるように構成されている。すなわち、対角線上に位置する２つの位置決め部１５ａ、１５ｂ以外の全ての位置決め部１５の各第１位置決め凹部２０は、これに対応する各ネット取付部材１４の各位置規制部１８が遊びをもって挿入する大きさに形成されている。
【００３５】
また、対角線上に位置する２つの位置決め部１５ａ、１５ｂ以外の全ての位置決め部１５の各第２位置決め凹部２１は、これに対応する各ネット取付部材１４の各取付駒部１７が遊びをもって挿入する大きさに形成されている。これにより、対角線上に位置する２つの位置決め部１５ａ、１５ｂ以外の全ての位置決め部１５は、対角線上に位置する２つの位置決め部１５ａ、１５ｂによってネット取付部材１４が上部ケース３に対して位置決めされる際に、それ以外のネット取付部材１４に取付誤差があっても、余裕をもってその全てのネット取付部材１４を位置規制するように構成されている。
【００３６】
また、全ての位置決め部１５の第１位置決め凹部２０における各底部には、図６および図１１に示すように、第１位置決め凹部２０にネット取付部材１４の位置規制部１８が挿入した際に、位置規制部１８のねじ穴１８ａが対応してねじ部材１６が挿入するねじ挿入孔２０ａがそれぞれ上下に貫通して設けられている。
【００３７】
複数のねじ部材１６は、図６および図１１に示すように、第１位置決め凹部２０の下側からねじ挿入孔２０ａに挿入されて位置規制部１８のねじ穴１８ａにそれぞれ螺入することにより、各ネット取付部材１４を上部ケース３の各位置決め部１５内にそれぞれ着脱可能に固定して、スピーカネット１２を上部ケース３に対し固定するように構成されている。
【００３８】
次に、このような電子鍵盤楽器の上部ケース３にスピーカネット１２を取り付ける場合について説明する。
まず、図８に示すように、スピーカネット１２の各フック部１３にネット取付部材１４をそれぞれ取り付ける。このときには、ネット取付部材１４の取付駒部１７に形成された装着溝１７ａ内にスピーカネット１２のフック部１３をスピーカネット１２の周辺部に沿って相対的にスライドさせながら挿入させる。
【００３９】
これにより、図７に示すように、スピーカネット１２の周辺部に設けられた複数のフック部１３にネット取付部材１４がそれぞれ取り付けられる。このときには、図９および図１１に示すように、フック部１３に設けられた抜止め部１９が上下方向に沿ってコ字状に折り曲げられた折曲部であり、取付駒部１７の装着溝１７ａがフック部１３と同じ形状に形成されていることにより、ネット取付部材１４はフック部１３の左右方向に対してスライド可能な状態であるが、フック部１３の上下方向に対しては位置規制された状態となる。
【００４０】
この状態で、図４に示すように、スピーカネット１２を上部ケース３のスピーカ部１０の上方に対応させて、図６および図１１に示すように、各ネット取付部材１４を上部ケース３の各位置決め部１５に挿入させて位置決めする。すなわち、複数のネット取付部材１４の各位置規制部１８を複数の位置決め部１５の各第２位置決め凹部２１を通して各第１位置決め凹部２０にそれぞれ挿入すると共に、複数のネット取付部材１４の各取付駒部１７を複数の位置決め部１５の各第２位置決め凹部２１内に挿入する。
【００４１】
このときには、複数の位置決め部１５のうち、対角線上に位置する２つの位置決め部１５ａ、１５ｂが、これに対応する２つのネット取付部材１４の取付位置を正確に位置決めする。すなわち、対角線上に位置する２つの位置決め部１５ａ、１５ｂの各第１位置決め凹部２０に、これに対応する２つのネット取付部材１４の各位置規制部１８が密着して嵌合すると共に、その２つの位置決め部１５ａ、１５ｂの各第２位置決め凹部２１に、これに対応する２つのネット取付部材１４の各取付駒部１７が密着して嵌合する。
【００４２】
これにより、対角線上に位置する２つの位置決め部１５ａ、１５ｂによって２つのネット取付部材１４が上部ケース３に対して正確に位置決めされると共に、スピーカネット１２が上部ケース３に対して確実に位置決めされる。このとき、対角線上に位置する２つの位置決め部１５ａ、１５ｂ以外の全ての位置決め部１５には、これに対応する各ネット取付部材１４の取付位置が遊びをもって位置決めされる。このため、対角線上に位置する２つの位置決め部１５ａ、１５ｂ以外の全ての位置決め部１５に対応する各ネット取付部材１４は、それぞれ取付誤差があっても、その各ネット取付部材１４が余裕をもって全ての位置決め部１５で位置規制される。
【００４３】
この後、上部ケース３の下側から複数のねじ部材１６を複数の位置決め部１５の各第１位置決め凹部２０の底部にそれぞれ設けられた各ねじ挿入孔２０ａを通して複数のネット取付部材１４の各位置規制部１８に設けられたねじ穴１８ａにそれぞれ螺入させて締め付ける。これにより、複数のネット取付部材１４が上部ケース３の各位置決め部１５にそれぞれ固定されると共に、スピーカネット１２が複数のネット取付部材１４によって上部ケース３に対して取り付けられる。
【００４４】
なお、この後は、図３に示すように、上部ケース３の下面にスピーカ１１をねじ部材１６によって取り付けた上、図１および図２に示すように、上部ケース３を下部ケース２上に取り付ける。これにより、電子鍵盤楽器が組み立てられる。
【００４５】
一方、スピーカネット１２を上部ケース３から取り外す場合には、図６に示すように、上部ケース３の下面からスピーカ１１を取り外し、この状態で複数のねじ部材１６をネット取付部材１４の各位置規制部１８から取り外す。これにより、スピーカネット１２を上部ケース３の上方に持ち上げると、図４および図７に示すように、複数のネット取付部材１４がスピーカネット１２と共に上部ケース３の各位置決め部１５から上方に離脱する。これにより、スピーカネット１２を上部ケース３から容易に取り外すことができる。
【００４６】
この状態で、図８に示すように、複数のネット取付部材１４をスピーカネット１２の周辺部に沿ってそれぞれスライドさせると、スピーカネット１２の各フック部１３が複数のネット取付部材１４の各取付駒部１７に設けられた各装着溝１７ａに沿って相対的にスライドすることにより、複数のネット取付部材１４をスピーカネット１２の各フック部１３からそれぞれ離脱させて取り外すことができる。これにより、複数のネット取付部材１４とスピーカネット１２とを簡単に分解することができる。
【００４７】
このように、この電子鍵盤楽器におけるスピーカネット１２の取付構造によれば、スピーカネット１２の周辺部に設けられた複数のフック部１３と、この複数のフック部１３がスピーカネット１２の周辺部に沿ってスライド可能に装着する装着溝１７ａを有する取付駒部１７、およびこの取付駒部１７を上部ケース３に対して位置規制する位置規制部１８が一体的に設けられた複数のネット取付部材１４と、上部ケース３に設けられて各ネット取付部材１４を上部ケース３に対してそれぞれ位置決めするための複数の位置決め部１５とを備えていることにより、機種ごとにスピーカ１１の形状や大きさが異なっていても、ネット取付部材１４を兼用できると共にスピーカネット１２から簡単に取り外してそのまま再利用することができる。
【００４８】
すなわち、このスピーカネット１２の取付構造では、スピーカ１１を覆って保護するスピーカネット１２の周辺部に設けられた複数のフック部１３を、ネット取付部材１４の各取付駒部１７内に設けられた装着溝１７ａにそれぞれ相対的にスライドさせて挿入させることにより、複数のフック部１３にそれぞれネット取付部材１４を着脱可能な状態で簡単に取り付けることができ、このネット取付部材１４の位置規制部１８を上部ケース３に設けられた複数の位置決め部１５によってそれぞれ位置規制することにより、スピーカネット１２を容易に上部ケース３に対して取り付けることができる。
【００４９】
また、このスピーカネット１２の取付構造では、複数のねじ部材１６を複数のネット取付部材１４の各位置規制部１８に設けられた各ねじ穴１８ａからそれぞれ取り外すことにより、複数のネット取付部材１４を上部ケース３に設けられた複数の位置決め部１５から容易に取り外すことができ、これにより複数のネット取付部材１４と共にスピーカネット１２を上部ケース３から簡単に取り外すことができる。この状態で、複数のネット取付部材１４をスピーカネット１２の各フック部１３に対してスライドさせることにより、複数のネット取付部材１４をスピーカネット１２の各フック部１３から容易に取り外すことができる。
【００５０】
このため、このスピーカネット１２の取付構造によれば、機種ごとにスピーカ１１の形状や大きさが異なっていても、機種に係わらずに複数のネット取付部材１４を兼用することができると共に、この複数のネット取付部材１４をスピーカネット１２に対してスライドさせて簡単に取り外すことができ、この取り外した各ネット取付部材１４をそのまま再利用することができるので、資源を有効に利用することができると共に、環境対策上、好ましいものを提供することができる。
【００５１】
この場合、位置決め部１５は、ネット取付部材１４の位置規制部１８を上部ケース３に対して位置決めする第１位置決め凹部２０と、ネット取付部材１４の取付駒部１７を上部ケース３に対して位置規制することにより、スピーカネット１２を上部ケース３に対して位置決めするための第２位置決め凹部２１とを備えているので、第１位置決め凹部２０によってネット取付部材１４を上部ケース３に対して正確に位置決めすることができると共に、第２位置決め凹部２１によってスピーカネット１２を上部ケース３に対して確実に位置決めすることができる。
【００５２】
このときには、複数の位置決め部１５のうち、対角線上に位置する２つの位置決め部１５ａ、１５ｂが、これに対応する２つのネット取付部材１４の取付位置を正確に位置決めし、対角線上に位置する２つの位置決め部１５ａ、１５ｂ以外の全ての位置決め部１５は、ネット取付部材１４の取付位置が遊びをもって位置決めされるように構成されていることにより、全てのネット取付部材１４を各位置決め部１５によって正確にかつ確実に上部ケース３に対して位置決めすることができる。
【００５３】
すなわち、対角線上に位置する２つの位置決め部１５ａ、１５ｂによってネット取付部材１４を上部ケース３に対して正確に位置決めしてスピーカネット１２を上部ケース３に対して確実に位置決めすることができると共に、これ以外の位置決め部１５によってネット取付部材１４が余裕をもって位置決めされるので、ネット取付部材１４に取付誤差があっても、ネット取付部材１４を上部ケース３に対して確実に位置決めすることができると共に、スピーカネット１２の取付作業を能率良く容易に行うことができる。
【００５４】
また、複数のフック部１３は、そのいずれか、例えばスピーカネット１２の上辺部１２ａおよび下辺部１２ｂに設けられた各フック部１３と、スピーカネット１２の両側の側辺部１２ｃに設けられた各フック部１３とが、スピーカネット１２の周辺部における複数箇所に直交する状態で設けられており、複数のネット取付部材１４は、そのいずれかが直交する状態で複数のフック部１３にそれぞれ取り付けられていることにより、必ずしも位置決め部１５に第２位置決め凹部２１を設けなくても、ネット取付部材１４を上部ケース３に対して確実に位置決めすることができると共に、スピーカネット１２を上部ケース３に対して良好に位置決めすることができる。
【００５５】
さらに、このスピーカネット１２の取付構造によれば、複数のネット取付部材１４の各位置規制部１８が上部ケース３に設けられた複数の位置決め部１５にねじ部材１６によってそれぞれ着脱可能に固定されているので、複数のネット取付部材１４を介してスピーカネット１２を上部ケース３に確実に且つ強固に取り付けることができると共に、ねじ部材１６を取り外すだけで、スピーカネット１２を複数のネット取付部材１４と共に上部ケース３から容易に取り外すことができる。
【００５６】
（実施形態２）
次に、図１２〜図１６を参照して、この発明を適用した電子鍵盤楽器の実施形態２について説明する。なお、図１〜図１１に示された実施形態１と同一部分には同一符号を付して説明する。
この電子鍵盤楽器におけるスピーカネット１２の取付構造は、図１２および図１３に示すように、ネット取付部材１４にねじ穴２５を位置規制部１８から取付駒部１７内に連続させて設けた構成であり、これ以外は実施形態１とほぼ同じ構成になっている。
【００５７】
すなわち、ネット取付部材１４には、ねじ部材１６が螺入するねじ穴２５が、位置規制部１８から取付駒部１７内の装着溝１７ａに亘って連続した状態で設けられている。これに伴って、複数のフック部１３には、図１５に示すように、ねじ部材１６の先端部が挿入する切欠部２６が、それぞれ位置規制部１８のねじ穴２５に対応して設けられている。
【００５８】
このようなスピーカネット１２の取付構造では、実施形態１と同様にスピーカネット１２の各フック部１３に複数のネット取付部１４をそれぞれ取り付けると、各フック部１３にそれぞれ取り付けられた各ネット取付部材１４のねじ穴２５が各フック部１３に設けられた切欠部２６にそれぞれ対応し、この状態で各ネット取付部材１４を上部ケース３の各位置決め部１５によって位置決めした後、各ネット取付部材１４のねじ穴２５にねじ部材１６をそれぞれ螺入させて、実施形態１と同様、各ネット取付部材１４を上部ケース３に固定することができる。
【００５９】
このときには、各フック部１３に取り付けられた各ネット取付部材１４には、ねじ部材１６が螺入するねじ穴２５が位置規制部１８から取付駒部１７内の装着溝１７ａに亘って設けられており、各フック部１３には、ねじ部材１６の先端部が挿入する切欠部２６がネット取付部材１４のねじ穴２５に対応してそれぞれ設けられているので、各ネット取付部材１４のねじ穴２５にねじ部材１６を螺入させると、このねじ部材１６の先端部がフック部１３の切欠部６に挿入してフック部１３を位置規制することができる。
【００６０】
このため、実施形態１のように、必ずしも上部ケース３の複数の位置決め部１５にネット取付部材１４の取付駒部１７が挿入する第２位置決め凹部２０を設けなくても、ねじ部材１６によって各フック部１３を上部ケース３に対して確実に位置決めすることができ、これによりスピーカネット１２を上部ケース３に対して正確に位置決めして確実に固定することができる。
【００６１】
なお、上記実施形態２では、複数のフック部１３の全てに、ねじ部材１６の先端部が挿入する切欠部２６を設けた場合について述べたが、必ずしも複数のフック部１３の全てに切欠部２６を設ける必要はなく、複数のフック部１３のうち、少なくとも対角線上に位置する２つのフック部のみにねじ部材１６の先端部が挿入する切欠部２６を設けた構成であっても良い。
【００６２】
また、上記実施形態１、２では、スピーカネット１２の各フック部１３に、その上方向に沿ってコ字形状に折り曲げた折曲部である抜止め部１９を設けた場合について述べたが、これに限らず、例えば、スピーカネット１２の各フック部１３に、その一部をＬ字形状、楔形状、半円形状などの形状に折り曲げた折曲部である抜止め部を設けた構成でも良く、またこれに限らず、その形状はフック部１３の上下方向の位置を規制する形状であれば、どのような形状であっても良い。
【００６３】
また、上記実施形態１、２では、ネット取付部材１４をねじ部材１６によって上部ケース３の各位置決め部１５に着脱可能に固定した場合について述べたが、必ずしもねじ部材１６で固定する必要はなく、ピン部材などの締結部材によって着脱可能に固定するようにしても良く、またネット取付部材１４にフック片を設け、このフック片によってネット取付部材１４を上部ケース３の各位置決め部１５に着脱可能に固定するように構成しても良い。
【００６４】
さらに、上記実施形態１、２では、スピーカネット１２の周辺部に設けられた複数のフック部１３のうち、上辺部１２ａおよび下辺部１２ｂに設けられた各フック部１３と、両側の側辺部１２ｃに設けられた各フック部１３とが直交するように構成されている場合について述べたが、これに限らず、例えばスピーカネット１２が台形の箱状に形成されている場合には、上辺部および下辺部に設けられた各フック部１３と、両側の側辺部に設けられた各フック部１３とが、直交しなくても、交差するように構成されていれば良い。このような構成であっても、実施形態１、２と同様の作用効果がある。
【００６５】
なおまた、上記実施形態１、２では、電子鍵盤楽器に適用した場合について述べたが、必ずしも電子鍵盤楽器である必要はなく、例えば電子ギターなどの電子弦楽器など、スピーカを備えた電子楽器に広く適用することができる。
【符号の説明】
【００６６】
１  楽器ケース
２  下部ケース
３  上部ケース
１０  スピーカ部
１１  スピーカ
１２  スピーカネット
１３  フック部
１４  ネット取付部材
１５  位置決め部
１６  ねじ部材
１７  取付駒部
１７ａ  装着溝
１８  位置規制部
１８ａ  ねじ穴
１９  抜止め部
２０  第１位置決め凹部
２０ａ  ねじ挿入孔
２１  第２位置決め凹部
２５  ねじ穴
２６  切欠部
【図１】
2010245679.tif 000003
【図２】
2010245679.tif 000004
【図３】
2010245679.tif 000005
【図４】
2010245679.tif 000006
【図５】
2010245679.tif 000007
【図６】
2010245679.tif 000008
【図７】
2010245679.tif 000009
【図８】
2010245679.tif 000010
【図９】
2010245679.tif 000011
【図１０】
2010245679.tif 000012
【図１１】
2010245679.tif 000013
【図１２】
2010245679.tif 000014
【図１３】
2010245679.tif 000015
【図１４】
2010245679.tif 000016
【図１５】
2010245679.tif 000017
【図１６】
2010245679.tif 000018